(57)【要約】【課題】板厚が変更された場合であっても、簡単な形状変更で対応して、製造コストを抑える。【解決手段】ツマミ２を、配線覆い１の所定位置に穿設された長方形状の取り付け孔９に挿入される本体３と、本体３の側面の上端から外方へ突出形成された鍔面１５を有するベース体４と、を備えて構成する。また本体３に、取り付け孔９の２長辺に対応する両側の長辺側面１１に、溝１３を１本ずつ設ける。クリップ体２０を、一対のアーム状体２１と、両アーム状体２１の両基端を連結する連結体とによって、ほぼコ字状に形成する。両アーム状体２１の対向する挟持面に、本体３の長辺側面１１を挟持した際、溝１３に嵌合する嵌合手段としての凸条体２３を基端から先端に亘って延設する。凸条体２３の直交断面を、挟持面に対して直交する直交辺２７と下り傾斜するテーパ辺２８とからなるテーパ状になるように形成する。【選択図】図１
2006340550.tif 000002
【特許請求の範囲】
【請求項１】
板状体の所定位置に穿設された取り付け孔に挿入され、取り付け孔の周端に対応した側面を備える本体と、本体を取り付け孔に挿入した状態において、板状体の表面に当接するように本体の側面から外方へ突出形成された鍔面を有するベース体と、を備えてなるようにツマミを構成し、
本体の側面を板状体の裏側で弾性的に挟持する挟持手段を備えてなるようにクリップ体を構成し、
本体の側面とクリップ体との挟持面において溝と凸条体とで嵌合する嵌合手段を、本体側面の周方向へ延設し、
ベース体の鍔面とクリップ体とによって、板状体を表裏から挟み込むように取り付けるツマミの取り付け構造であって、
クリップ体が板状体を挟み込む方向へ移動するように、凸条体の延設方向に対する直交断面が、テーパ状になるように形成されてなる、
ことを特徴とするツマミの取り付け構造。
【発明の詳細な説明】
【技術分野】
【０００１】
本発明は、箱体の扉や蓋を開閉するためのツマミ、特に分電盤や配電盤等の基台に載置した機器や配線を被覆するための配線覆いを開閉するためのツマミの取り付け構造に関する。
【背景技術】
【０００２】
載置した機器や配線を被覆するための配線覆いに取り付けられ、配線覆いを開閉するためのツマミとして、特許文献１に記載されたものが知られている。図５（ａ）〜（ｃ）に示すように、このツマミ２は、基台に係止する本体３と、本体３を配線覆い１に取り付けるベース体４と、を有して構成されている。そしてこのツマミ２の側面には、溝１３が設けられている。
【０００３】
従来から、このようなツマミ２を配線覆い１に取り付ける際には、凸条部６３を備えたコ字状のクリップ体６０が使用されている。このクリップ体６０によれば、本体３の側面を挟持するとともに溝１３に凸条部６３を嵌合させることによって、配線覆い１をベース体４の下面とクリップ体６０の上面とで挟み込むことができ、ツマミ２を配線覆い１に簡単かつ強固に取り付けることができる。
【０００４】
【特許文献１】特開２００２−２１８６２７号公報
【発明の開示】
【発明が解決しようとする課題】
【０００５】
しかしながら、上記ツマミ２に使用される取り付け用のクリップ体６０は、その凸条体６３の縦断面形状が、図５（ｃ）に示すように、挟持方向へ突出する矩形状であり、溝１３の形状とほぼ一致するように形成されている。従って、予め定められた一の板厚からなる配線覆い１にのみに有効となるため、仕様変更や設計変更等に伴い板厚が変更された場合に対応させるためには、変更された板厚に合わせて溝１３の位置を上下に変える等、ツマミ２に関する形状変更が必要となり、板厚の変更毎に製造コストがかかる点で問題があった。
【０００６】
そこで、本発明は上記課題を鑑み、板厚が変更された場合であっても、簡単な形状変更で対応でき、製造コストを抑えることができるツマミの取り付け構造の提供を課題とする。
【課題を解決するための手段】
【０００７】
上記課題を解決するため、請求項１の発明に係るツマミの取り付け構造は、板状体の所定位置に穿設された取り付け孔に挿入され、取り付け孔の周端に対応した側面を備える本体と、本体を取り付け孔に挿入した状態において、板状体の表面に当接するように本体の側面から外方へ突出形成された鍔面を有するベース体と、を備えてなるようにツマミを構成し、本体の側面を板状体の裏側で弾性的に挟持する挟持手段を備えてなるようにクリップ体を構成し、本体の側面とクリップ体との挟持面において溝と凸条体とで嵌合する嵌合手段を、本体側面の周方向へ延設し、ベース体の鍔面とクリップ体とによって、板状体を表裏から挟み込むように取り付けるツマミの取り付け構造であって、クリップ体が板状体を挟み込む方向へ移動するように、凸条体の延設方向に対する直交断面が、テーパ状になるように構成される。
【発明の効果】
【０００８】
請求項１の発明によれば、板厚が変更された場合であっても、簡単な形状変更で対応でき、製造コストを抑えることができる。
【発明を実施するための最良の形態】
【０００９】
本発明に係るツマミの取り付け構造の一実施形態について図面に基づき説明する。
図１に示すように、分電盤の基台には、載置した機器や配線を被覆するための板状体である配線覆い１が取り付けられ、その配線覆い１には、開閉用のツマミ２が取り付けられている。
【００１０】
図２のツマミ２は、配線覆い１の所定位置に穿設された長方形状の取り付け孔９に挿入され、取り付け孔９の４辺に対応した４側面を備える本体３と、本体３を取り付け孔９に挿入した状態で配線覆い１の表面に当接するように、本体３の４側面の上端から外方へ突出形成された鍔面１５を有するベース体４と、を備えて構成されている。また本体３には、取り付け孔９の２長辺に対応する両側の長辺側面１１に、ベース体４の鍔面１５から下方へ所定の間隔を置いて嵌合手段としての溝１３が１本ずつ長辺側面１１の周方向へ延設され、さらに、基台に当接する可動バネ６と、開閉操作用のレバー７と、基台の支承具５に係止可能なフック部８とが設けられている。
【００１１】
また、ツマミ２は、配線覆い１の表面に当接するベース体４の鍔面１５と、同裏面に当接するように本体３の長辺側面１１を配線覆い１の裏側で弾性的に挟持して溝１３に嵌合するクリップ体２０とによって、配線覆い１を表裏から挟み込むことで、配線覆い１に取り付けられている。
【００１２】
図３のように、クリップ体２０は、本体３の長辺側面１１の横幅よりも長く形成された挟持手段としての一対のアーム状体２１と、両アーム状体２１が本体３の短辺側面１２の横幅よりも長い挟持幅を確保するように両アーム状体２１の両基端を連結する連結体２２とによって、ほぼコ字状に形成されている。両アーム状体２１の対向する挟持面には、本体３の長辺側面１１を挟持した際、溝１３に嵌合する嵌合手段としての凸条体２３が基端から先端に亘って延設されている。凸条体２３は、その延設方向に対する直交断面が、挟持面に対して直交する直交辺２７と下り傾斜するテーパ辺２８とからなるテーパ状になるように形成されている。またアーム状体２１の各先端には、内側へ突出する係止部２４が設けられている。
【００１３】
クリップ体２０は、その凸条体２３が長辺側面１１の溝１３に嵌合した状態で、ベース体４の鍔面１５とクリップ体２０の端面との間に、板厚ｔ１の配線覆い１を挟み付ける隙間を確保する。
【００１４】
次に、配線覆い１にツマミ２を取り付ける手順を説明する。先ず、取り付け孔９に本体３を挿入し、ベース体４の鍔面１５を配線覆い１の表面に当接させる。本体３に対して、クリップ体２０のアーム状体２１の両先端を弾性を利用して拡開して、一方の短辺側面１２から、溝１３に沿って凸条体２３を嵌め込んだ状態でスライドさせ、アーム状体２１の先端の係止部２４を他方の短辺側面１２に係止させて抜け止めし、本体３の長辺側面１１を配線覆い１の裏側で弾性的に挟持する。この時、凸条体２３は、テーパ辺２８を有するテーパ面が溝１３の角部に当接しながら嵌合する。従って、両アーム状体２１の挟持力は、テーパ面によって、ベース体４との隙間を閉じる方向、すなわち配線覆い１を挟み込む方向へクリップ体２０を移動させるスライド力に変換される。よって、ツマミ２は、クリップ体２０によって、配線覆い１をベース体４の鍔面１５との間で挟み付けるように取り付けられる。
【００１５】
ツマミ２は、配線覆い１に取り付けられた状態でレバー７が上げ下げされ、フック部８を基台の支承具５に可動バネ６を介して係止または解除することによって、配線覆い１を開閉可能とする。
【００１６】
図４は、板厚ｔ２の配線覆い１０にツマミ２を取り付けた状態を示している。
この時、凸条体２３は、板厚ｔ１からｔ２に増加した厚みだけその直交面が溝１３から離れ、テーパ面が溝１３の角部に当接しながら嵌合する。従って、ツマミ２は、配線覆い１０の板厚ｔ２に対応してスライドしたクリップ体２０によって、配線覆い１と同様に配線覆い１０に取り付けられる。また、例えば、配線覆い１の板厚ｔ１を１．４ｍｍとした場合には、板厚の変更は約２．０ｍｍまで対応可能である。
【００１７】
なお、配線覆い１，１０からツマミ２を取り外す場合には、両アーム状体２１の先端を弾性を利用して拡開させて係止部２４による係止を解除し、クリップ体２０を本体３の溝１３に沿ってスライドさせることにより行う。
【００１８】
上記構成のツマミの取り付け構造によれば、クリップ体２０の凸条体２３の断面をテーパ状となるように形成したので、凸条体２３のテーパ辺に溝１３の角部が当接する範囲内であれば、取り付け対象となる配線覆いの板厚が変更された場合であっても、ツマミ２に対して形状変更を施すことなく、同一のクリップ体２０によってツマミ２を取り付けることができる。またクリップ体２０は、従来のクリップ体６０に対して、矩形状の凸条体６３の一方角を無くしてテーパ面となるように構成すれば同等に構成できる。従って、例えば、従来のクリップ体６０の凸条体６３の一方角を削ったり、クリップ体６０の成形型に予めパテを埋め込む等の簡単な補修を施す等、既製品の成形型を転用することが可能となり、製造コストを抑えることができる。
【００１９】
尚、本発明は上記実施形態に限定されるものではなく、以下列挙するように、本発明の趣旨を逸脱しない範囲で各部の形状並びに構成を適宜に変更して実施することも可能である。
（１）ツマミは、可動バネや係止部を備えるものに限らず、クリップ体で挟持嵌合可能な本体を備えるものであれば、手でつまむことのできる単なる突起や取っ手等を備えるものであっても良い。
（２）溝をクリップ体に設け、凸条体をツマミの本体に設けても良い。この場合も、板厚の変更に対応して、ツマミに形状変更を施すことなく、同一のクリップ体によってツマミを配線覆いに取り付けることが可能になる。
（３）ツマミは、分電盤に限らず、配電盤やその他電子機器等の板状体の板厚の変更に対応して取り付けることができる。
（４）ツマミ及びクリップ体は、長辺側面に限らず、短辺側面を挟持し嵌合するように構成しても良い。
【図面の簡単な説明】
【００２０】
【図１】本発明に係る一実施形態を示す、（ａ）は正面図、（ｂ）側面図、（ｃ）はＡ部拡大図である。
【図２】ツマミの外観を示す、（ａ）は正面図、（ｂ）側面図である。
【図３】クリップ体の外観を示す、（ａ）は正面図、（ｂ）側面図、（ｃ）平面図である。
【図４】本発明に係る一実施形態を示す、（ａ）は正面図、（ｂ）側面図、（ｃ）はＢ部拡大図である。
【図５】従来のツマミの取り付け構造を示す、（ａ）は正面図、（ｂ）側面図、（ｃ）はＣ部拡大図である。
【符号の説明】
【００２１】
１，１０・・配線覆い（板状体）、２・・ツマミ、３・・本体、４・・ベース体、５・・支承具、６・・可動バネ、７・・レバー、８・・フック部、９・・取り付け孔、１１・・長辺側面、１２・・短辺側面、１３・・溝（嵌合手段）、１５・・鍔面、２０・・クリップ体、２１・・アーム状体（挟持手段）、２２・・連結体、２３・・凸条体（嵌合手段）、２４・・係止部、２７・・直交辺、２８・・テーパ辺、ｔ１，ｔ２・・板厚。
【図１】
2006340550.tif 000003
【図２】
2006340550.tif 000004
【図３】
2006340550.tif 000005
【図４】
2006340550.tif 000006
【図５】
2006340550.tif 000007